(57)【特許請求の範囲】
【請求項１】
刈取り穀稈を脱穀装置に搬送するフィーダの搬送経路の塵埃を、前記搬送経路に開口した吸塵口を有した排塵フードと、電動モータによって回転駆動される排塵ファンとによって吸引排出するコンバインの排塵装置であって、
前記排塵ファンを前記吸塵口に配置し、
前記電動モータを前記排塵フードの前記吸塵口に対向して位置する壁部に支持させ、
前記排塵ファンと前記電動モータの本体とを離間させた状態で前記排塵ファンと前記電動モータとを連動させる回転軸と、前記回転軸を内装した筒カバーとを備え、
前記回転軸が回転自在に前記筒カバーに支持されているコンバインの排塵装置。
【請求項２】
刈取り穀稈を脱穀装置に搬送するフィーダの搬送経路の塵埃を、前記搬送経路に開口した吸塵口を有した排塵フードと、電動モータによって回転駆動される排塵ファンとによって吸引排出するコンバインの排塵装置であって、
前記排塵ファンを前記吸塵口に配置し、
前記電動モータを前記排塵フードの前記吸塵口に対向して位置する壁部に支持させ、
前記排塵ファンと前記電動モータの本体とを離間させた状態で前記排塵ファンと前記電動モータとを連動させる回転軸と、前記回転軸を内装した筒カバーとを備え、
前記筒カバーに、この筒カバーのカバー本体から延出し、前記排塵ファンの羽根が連結しているボス部の内部に入り込んで前記回転軸の周囲を覆うシール筒部を設けてあるコンバインの排塵装置。
【請求項３】
前記筒カバーに、前記排塵ファンの羽根が連結しているボス部と同一又はほぼ同一の外径を備えてある請求項１又は２に記載のコンバインの排塵装置。
【請求項４】
刈取り穀稈を脱穀装置に搬送するフィーダの搬送経路の塵埃を、前記搬送経路に開口した吸塵口を有した排塵フードと、電動モータによって回転駆動される排塵ファンとによって吸引排出するコンバインの排塵装置であって、
前記排塵ファンを前記吸塵口に配置し、
前記電動モータを前記排塵フードの前記吸塵口に対向して位置する壁部に支持させ、
前記排塵ファンと前記電動モータの本体とを離間させた状態で前記排塵ファンと前記電動モータとを連動させる回転軸と、前記回転軸を内装した筒カバーとを備え、
前記排塵ファンは、前記回転軸が連結されたボス部と、前記ボス部の外周側に放射状に連結された複数枚の羽根と、を備え、
前記筒カバーに、前記ボス部と同一又はほぼ同一の外径を備えてあるコンバインの排塵装置。
【請求項５】
前記筒カバーに、この筒カバーのカバー本体から延出し、前記排塵ファンの羽根が連結しているボス部の内部に入り込んで前記回転軸の周囲を覆うシール筒部を設けてある請求項３又は４に記載のコンバインの排塵装置。
【請求項６】
前記回転軸が回転自在に前記筒カバーに支持されている請求項２又は４に記載のンバインの排塵装置。
【請求項７】
前記回転軸を回転自在に支持する軸支部を、前記筒カバーの内面側に備えてある請求項１又は６に記載のコンバインの排塵装置。
【請求項８】
前記筒カバーに、前記排塵ファンの羽根が連結しているボス部と同一又はほぼ同一の外径を備えてある請求項７に記載のコンバインの排塵装置。
【請求項９】
前記電動モータが前記壁部に設けたモータ取り付け孔に入り込んでいる請求項1〜８のいずれか一項に記載のコンバインの排塵装置。
【発明の詳細な説明】
【技術分野】
【０００１】
本発明は、刈取り穀稈を脱穀装置に搬送するフィーダの搬送経路の塵埃を、前記搬送経路に開口した吸塵口を有した排塵フードと、電動モータによって回転駆動される排塵ファンとによって吸引排出するコンバインの排塵装置に関する。
【背景技術】
【０００２】
上記した排塵装置として、従来、たとえば特許文献１に記載されたものがあった。
特許文献１に記載された排塵装置では、フィーダハウス１８（フィーダに相当）の上面および左側面に取り付けた防塵フード２５（排塵フードに相当）と、吸排塵ファン２６（排塵ファンに相当）と、電動モータ３０とを備えている。（各部材、各部品に付記した符号は、公報に記載された符号である。）
【０００３】
【特許文献１】特開２００２−３４５３２０号公報（段落〔０００６〕−〔０００８〕、図６，７）
【発明の開示】
【発明が解決しようとする課題】
【０００４】
この種の排塵装置では、排塵ファンの配置箇所をフィーダに近づけるほど、排塵ファンの吸引力がフィーダに効果的に作用する。これにより、排塵ファンを排塵フードの吸塵口に配置するとともにこの吸塵口にモータ取り付け部材を配置し、このモータ取り付け部材に電動モータを支持させる構成を採用すると、電動モータが排塵フード内の排塵経路の内側深くに位置しがちとなり、電動モータの組み付けが行ないにくくなっていた。
【０００５】
本発明の目的は、排塵ファンの吸引力をフィーダに効果的に作用させながら上記した問題の発生を回避しやすくできるコンバインの排塵装置を提供する。
【課題を解決するための手段】
【０００６】
本第１発明は、刈取り穀稈を脱穀装置に搬送するフィーダの搬送経路の塵埃を、前記搬送経路に開口した吸塵口を有した排塵フードと、電動モータによって回転駆動される排塵ファンとによって吸引排出するコンバインの排塵装置において、
前記排塵ファンを前記吸塵口に配置し、前記電動モータを前記排塵フードの前記吸塵口に対向して位置する壁部に支持させ、
前記排塵ファンと前記電動モータの本体とを離間させた状態で前記排塵ファンと前記電動モータとを連動させる回転軸と、前記回転軸を内装した筒カバーとを備え、
前記回転軸が回転自在に前記筒カバーに支持されている。
【０００７】
本第１発明の構成によると、排塵ファンを吸塵口に配置したものだから、排塵ファンがフィーダに極力近づいてフィーダに効果的に吸引作用するようにできる。電動モータを排塵フードの前記壁部に支持させてあるものだから、電動モータを排塵フードの排塵経路の外部や極力外部側に設置し、電動モータの組み付けが容易となるよう電動モータの取り付け部を排塵フードの外部や外部側に配置しやすくなる。
【０００８】
したがって、フィーダの塵埃を強力に吸引させ得る排塵装置でありながら、電動モータの組み付け面から組み立て作業を容易に行なえるようにできる。
【０００９】
【００１０】
【００１１】
【００１２】
【００１３】
本第１発明の構成によると、電動モータの本体を排塵ファンと離間させて電動モータの取り付け部の排塵フード外への配置を容易にしたり、電動モータに発生した熱を排塵フード外に排出しやすくしたりできる。しかも、排塵フードを流動する塵埃の回転軸への付着を筒カバーによって防止することができる。
【００１４】
したがって、フィーダの塵埃を強力に吸引させることができるものでありながら、組み立て作業をより能率よく行なえるようにでき、かつ電動モータの過熱によるトラブル発生をより回避しやすくできる。しかも、塵埃が回転軸に巻き付きにくくて巻き付き塵埃に起因した排塵不良や駆動不良を回避しやすい。
本第２発明は、刈取り穀稈を脱穀装置に搬送するフィーダの搬送経路の塵埃を、前記搬送経路に開口した吸塵口を有した排塵フードと、電動モータによって回転駆動される排塵ファンとによって吸引排出するコンバインの排塵装置において、
前記排塵ファンを前記吸塵口に配置し、
前記電動モータを前記排塵フードの前記吸塵口に対向して位置する壁部に支持させ、
前記排塵ファンと前記電動モータの本体とを離間させた状態で前記排塵ファンと前記電動モータとを連動させる回転軸と、前記回転軸を内装した筒カバーとを備え、
前記筒カバーに、この筒カバーのカバー本体から延出し、前記排塵ファンの羽根が連結しているボス部の内部に入り込んで前記回転軸の周囲を覆うシール筒部を設けてある。
本第３発明では、前記筒カバーに、前記排塵ファンの羽根が連結しているボス部と同一又はほぼ同一の外径を備えてある。
本第４発明は、刈取り穀稈を脱穀装置に搬送するフィーダの搬送経路の塵埃を、前記搬送経路に開口した吸塵口を有した排塵フードと、電動モータによって回転駆動される排塵ファンとによって吸引排出するコンバインの排塵装置において、
前記排塵ファンを前記吸塵口に配置し、
前記電動モータを前記排塵フードの前記吸塵口に対向して位置する壁部に支持させ、
前記排塵ファンと前記電動モータの本体とを離間させた状態で前記排塵ファンと前記電動モータとを連動させる回転軸と、前記回転軸を内装した筒カバーとを備え、
前記排塵ファンは、前記回転軸が連結されたボス部と、前記ボス部の外周側に放射状に連結された複数枚の羽根と、を備え、
前記筒カバーに、前記ボス部と同一又はほぼ同一の外径を備えてある。
【００１５】
本第５発明では、前記筒カバーに、この筒カバーのカバー本体から延出し、前記排塵ファンの羽根が連結しているボス部の内部に入り込んで前記回転軸の周囲を覆うシール筒部を設けてある。
【００１６】
本第５発明の構成によると、筒カバーのカバー本体と排塵ファンのボス部との隙間に塵埃が入り込んでも、回転軸にまで入り込むことをシール筒部によって防止しやすい。
【００１７】
したがって、フィーダの塵埃を強力に吸引させることができ、かつ組み立て作業、および電動モータのトラブル回避を容易に行なえるようにできるものでありながら、回転軸や筒カバーの塵埃巻き付きがより発生しにくくて巻き付き塵埃による排塵不良や駆動不良をより回避しやすい排塵装置を得られる。
本第6発明では、前記回転軸が回転自在に前記筒カバーに支持されている。
本第７発明では、前記回転軸を回転自在に支持する軸支部を、前記筒カバーの内面側に備えてある。
本第８発明では、前記筒カバーに、前記排塵ファンの羽根が連結しているボス部と同一又はほぼ同一の外径を備えてある。
本第９発明では、前記電動モータが前記壁部に設けたモータ取り付け孔に入り込んでいる。
本第９発明の構成によると、本第１発明の構成による作用を発揮するに加え、電動モータの取り付け部や本体の一部や全体を排塵フードの外部に配置して、電動モータの組み付けを容易にできる。また、電動モータに発生した熱を排塵フード外へ排出しやすくなる。
したがって、フィーダの塵埃を強力に吸引させることができるものでありながら、組み立て作業をより能率よく行なえるようにでき、かつ電動モータの過熱によるトラブル発生を回避しやすくできる。
【発明を実施するための最良の形態】
【００１８】
以下、本発明の実施例を図面に基づいて説明する。
図１は、本発明の実施例に係る排塵装置３０を装備されたコンバインの全体の左側面図である。図２は、本発明の実施例に係る排塵装置３０を装備されたコンバインの全体の右側面図である。図３は、本発明の実施例に係る排塵装置３０を装備されたコンバインの全体の平面図である。これらの図に示すように、コンバインは、左右一対のクローラ式走行装置１，１によって自走し、かつ運転座席２ａおよび日除け用のキャノピ２ｂが装備された運転部２を有した走行機体と、この走行機体の機体フレーム３の後部側に設けた脱穀装置４と、この脱穀装置４の横側に設けた袋詰めタンク１１が装備された穀粒袋詰め部１０と、前記脱穀装置４の前部にフィーダ２１が連結された刈取り部２０とを備えて構成してある。
【００１９】
このコンバインは、稲、麦などの収穫作業を行う。
すなわち、刈取り部２０は、前記フィーダ２１を備える他、このフィーダ２１の前端部に連結された刈取りフレーム２２と、この刈取りフレーム２２の前端部の両横側に設けたデバイダ２３と、前記プラットホーム部２２ａの前端部に駆動自在に設けたバリカン形の刈取り装置２４と、前記刈取り装置２４の後方近くで、かつ前記プラットホーム部２２ａの上面側に配置して前記刈取りフレーム２２に駆動回転自在に設けたオーガ２５と、前記刈取りフレーム２２の基端側の上部から前方向きに延出している左右一対の支持アーム２６，２６に駆動回転自在に支持された回転リール２７とを備えて構成してある。
【００２０】
前記刈取り部２０は、前記フィーダ２１が油圧シリンダ２８によって機体横向きの昇降軸芯Ｐまわりに脱穀装置４に対して上下に揺動操作されることにより、刈取りフレーム２２の前記プラットホーム部２２ａが地面近くに下降した下降作業状態と、刈取りフレーム２２が地面から高く上昇した上昇非作業状態とに昇降する。刈取り部２０を下降作業状態にして走行機体を走行させると、刈取り部２０は、植立穀稈の刈取り処理と、刈取り穀稈の脱穀装置４への供給とを行う。
【００２１】
すなわち、左右一対のデバイダ２３，２３によって植立穀稈を刈取り対象と非刈取り対象とに分草し、刈取り対象の植立穀稈を、回転リール２７によって刈取り装置２４に掻き込みながらこの刈取り装置２４によって刈り取る。刈取り穀稈をオーガ２５の両端側に位置する螺旋プレート２５ａによってプラットホーム部２２ａに沿わせてフィーダ２１の前方に横送りする。フィーダ２１の前方に至った刈取り穀稈を、オーガ２５の中間に一体回転自在に設けてある搬送アーム２５ｂの掻き送りによってオーガ２５の後側に位置するフィーダ２１の入り口２１ａ（図４参照）に送り込む。フィーダ２１に入り込んだ刈取り穀稈を、フィーダ２１の内部に位置する搬送経路２１ｄと、この搬送経路２１ｄに位置するコンベヤ２９とによってフィーダ２１の後方に搬送する。フィーダ２１の後端部に至った刈取り穀稈の株元から穂先までの全体を前記コンベヤ２９の掻き送り作用によって脱穀装置４の扱室（図示せず）に投入する。
【００２２】
脱穀装置４は、扱室に投入された刈取り穀稈を回転する扱胴４ａによって脱穀処理する。
【００２３】
図２に示すように、前記穀粒袋詰め部１０は、前記袋詰めタンク１１を備える他、この袋詰めタンク１１の下部に位置する吐出筒１２に装着された穀粒袋の上端側を袋支持杆１３によって支持し、この穀粒袋の下端側を袋受けデッキ１４によって支持する袋支持部を備えている。
【００２４】
袋詰めタンク１１は、脱穀装置４の選別部（図示せず）からの脱穀粒を揚穀装置１５（図３参照）によって供給されて貯留し、貯留した脱穀粒を前記吐出筒１２から穀粒袋に排出する。
【００２５】
図２，３に示すように、穀粒袋詰め部１０は、前後一対の作業補助具１６，１６を備えている。各作業補助具１６は、図２と図３に実線で示す如く袋支持部から走行機体横外側に突出した下降使用姿勢と、図２に二点鎖線で示す如く袋詰めタンク１１の上方に位置した上昇格納姿勢とに揺動切り換えできるよう支持されている。各作業補助具１６は、下降使用姿勢に切り換えることにより、袋受けデッキ１４の上面からの高さが１．０〜１．１ｍとなった配置高さに位置し、穀粒袋詰め部１０に袋詰め作業のために搭乗した作業者が腰当て部材として使用できる。
【００２６】
図１，３に示すように、前記刈取り部２０は、前記フィーダ２１に設けた排塵フード３１が装備された前記排塵装置３０を備えている。
【００２７】
図４は、前記排塵装置３０の縦断側面図である。図５は、前記排塵装置３０の正面図である。図７は、前記排塵装置３０の縦断正面図である。図８は、前記排塵装置３０の斜視図である。これらの図に示すように、前記排塵装置３０は、前記排塵フード３１を備える他、この排塵フード３１の走行機体横方向での一端側の内部に設けた排塵ファン４０と、この排塵ファン４０の上方に設けた電動モータ４１とを備えて構成してある。
【００２８】
前記排塵フード３１は、下壁部３１ａと、上壁部３１ｂと、下壁部３１ａと上壁部３１ｂとの全周にわたる側壁部３１ｃとを備えている。この排塵フード３１は、下壁部３１ａと側壁部３１ｃとの一端側にわたって連結した送風ガイド３２を備えている。排塵フード３１は、前記送風ガイド３２によってフィーダ２１の天板２１ｂに向かった吸塵口３３を形成し、下壁部３１ａの他端側に連結された筒状体によって地面に向かった排塵口３４を形成し、前記吸塵口３３と前記排塵口３４と連通させた排塵経路３５を内部に形成している。
【００２９】
前記排塵フード３１の前記吸塵口３３は、前記フィーダ２１の天板２１ｂに設けた連通口５０を介してフィーダ２１の内部の搬送経路２１ｄに開口している。フィーダ２１の前記連通口５０は、前記天板２１ｂとこの天板２１ｂの上面側に設けた板金部材５２（図８参照）とに設けた貫通孔によって構成してある。
【００３０】
図７に示すように、前記排塵ファン４０は、前記吸塵口３３に配置されている。この排塵ファン４０は、排塵フード３１の上壁部３１ｂに支持させた筒カバー６０に回転軸６１を介して回転自在に支持され、かつ前記回転軸６１を介して前記電動モータ４１の出力軸４１ａに連動されている。
【００３１】
つまり、排塵装置３０は、前記フィーダ２１の前端側の横一側部に運転部２から操作できるよう配置して設けたスイッチ４４（図３参照）の入り操作によって前記電動モータ４１を駆動して、この電動モータ４１によって排塵ファン４０を回転駆動し、フィーダ２１の搬送経路２１ｄに前記入り口２１ａから入り込んだ塵埃や、搬送経路２１ｄで発生した塵埃を、排塵ファン４０と排塵フード３１とによって吸引排出する。
【００３２】
すなわち、排塵ファン４０の吸引力をフィーダ２１の連通口５０を介してフィーダ２１の搬送経路２１ｄに作用させ、この搬送経路２１ｄの塵埃をフィーダ２１の連通口５０と排塵フード３１の吸塵口３３とから排塵フード３１の一端側に吸引し、排塵フード３１に流入した塵埃を排塵ファン４０による送風によって排塵経路３５に沿わせて排塵口３４に流動させ、この排塵口３４から機体下方向きに排出する。このとき、排塵口３４から垂下されたゴム板製の防塵カバー３６によって塵埃の飛散を防止する。
【００３３】
図７，１２に示すように、前記排塵ファン４０は、樹脂製の円筒部４３ａとこの円筒部４３ａの内部に連設された円板部４３ｂとを有したボス部４３と、前記円筒部４３ａの外周側に円筒部４３ａとの一体成形によって放射状に連結している複数枚の樹脂製の羽根４２とを備えている。
【００３４】
図７，８，１２に示すように、前記電動モータ４１は、排塵フード３１の上壁部３１ｂに設けたモータ取り付け孔３８に入り込ませて前記上壁部３１ｂに支持されている。すなわち、電動モータ４１は、前記モータ取り付け孔３８に入り込んでいるモータ本体４１ｂと、このモータ本体４１ｂの周部の三箇所に前記上壁部３１ｂの外部に配置して設けた取り付け部４１ｃとを備えており、各取り付け部４１ｃで前記上壁部３１ｂに連結されている。
【００３５】
図７，１２に示すように、前記回転軸６１の上端側が連結部材６２を介して前記電動モータ４１の出力軸４１ａに一体回転自在に連結され、回転軸６１の下端側が連結部材６３を介して排塵ファン４０の前記円板部４３ｂに一体回転自在に連結されている。
つまり、回転軸６１は、排塵ファン４０とモータ本体４１ｂとを離間させた状態にして排塵ファン４０と電動モータ４１とを連動させて、電動モータ４１を排塵経路３５の外部付近に位置させている。
【００３６】
図１２に示すように、前記筒カバー６０は、前記回転軸６１を収容しているカバー本体６０ａと、このカバー本体６０ａの底板部６４から下向きに延出して延出端側が排塵ファン４０の前記ボス部４３における前記円筒部４３ａの内部の前記回転軸６１の周囲に入り込んだシール筒部６０ｂとを備えている。前記カバー本体６０ａは、前記回転軸６１を上下一対のベアリングを介して支持する筒形の軸支部６５を連結板６６と前記底板部６４とによってカバー本体６０ａの内面側に連結した状態で備えており、回転軸６１を支持する部材になっている。
【００３７】
つまり、筒カバー６０は、カバー本体６０ａの外径Ｄ２の大きさによって塵埃がカバー本体６０ａに巻き付くことを防止しながら、カバー本体６０ａによって回転軸６１を覆って塵埃の回転軸６１への巻き付きを防止する。また、筒カバー６０の前記シール筒部６０ｂは、カバー本体６０ａとボス部４３との間にシール作用し、カバー本体６０ａとボス部４３における円筒部４３ａとの隙間に塵埃が入り込んでも、この塵埃が回転軸６１まで入り込むことを防止する。
【００３８】
図７に示すように、前記排塵フード３１は、前記排塵口３４が位置する側とは反対側の横端部に設けた枢支手段５１を介してフィーダ２１の天板２１ｂに支持されており、前記枢支手段５１が有する走行機体前後向きの排塵フード開閉軸芯Ｘまわりにフィーダ２１に対して上下揺動する。
【００３９】
図５と図７とは、排塵フード３１の下降閉じ状態を示している。これらの図に示すように、排塵フード３１は、前記排塵フード開閉軸芯Ｘまわりに下降操作されると、前記送風ガイド板３２の下端部に取り付けたシール材３７が前記板金部材５２に当接して閉じ状態になる。すると、排塵フード３１の前記吸塵口３３がフィーダ２１の搬送経路２１ｄに連通する。このとき、フィーダ２１と排塵フード３１との間が、前記吸塵口３３の周囲で前記シール材３７によってシールされる。また、排塵フード３１とフィーダ２１の天板２１ｂとにわたって設けたロック手段７０（図１１参照）を作用させることにより、排塵フード３１を下降閉じ状態に固定できる。
【００４０】
図６は、排塵フード３１の上昇開き状態での正面図である。この図に示すように、排塵フード３１は、前記排塵フード開閉軸芯Ｘまわりに上昇操作されると、前記送風ガイド３２がフィーダ２１の天板２１ｂから上昇して開き状態になる。すると、排塵ファン４０が排塵フード３１に付いて上昇して点検や清掃しやすいように吸塵口３３で開放した状態になる。このとき、前記板金部材５２が形成している支持ブラケット５６によってフィーダ２１の上面側に支持されている支持杆５７を上昇揺動操作し、この支持杆５７の遊端部を排塵フード３１が備える係止孔５８（図８参照）に装着する。すると、支持杆５７は、排塵フード３１を突っ張り支持して上昇開き状態に維持する。
【００４１】
図１０は、前記枢支手段５１の平面図である。この図と図７と図８とに示すように、前記枢支手段５１は、前記板金部材５２の一部によって構成された枢支ブラケット５３と、この枢支ブラケット５３が備える前後一対のピンホルダ５４，５４に各別に回転自在に内嵌するように構成して排塵フード３１に設けた前後一対の連結ピン５５，５５とによって構成してある。
【００４２】
図１１は、前記ロック手段７０の側面視構造を示している。この図と図７とに示すようには、前記ロック手段７０は、排塵フード３１の前後側に設けてある。各ロック手段７０は、排塵フード３１と、フィーダ２１の天板２１ｂに設けた固定片７５とにわたってロックボルト７６が装着されることによって排塵フード３１を下降閉じ状態に固定する。このロック手段７０は、前記ロックボルト７６が固定片７５から取り外されることによって排塵フード３１の閉じ固定を解除する。
【００４３】
図１，３，４に示すように、前記排塵装置３０は、前記排塵フード３１から前記刈取りフレーム２２の上部に向かって延出したゴム板製のカバー８０を備えている。このカバー８０は、前記支持杆５７および前記前側のロック手段７０が位置する部位の上方を覆い、この部位に塵埃が入り込むことを防止する。
【００４４】
〔別実施例〕
上記した実施例の排塵装置３０に替え、フィーダ２１の横側板２１ｃに連通口を設け、この連通口を介して排塵フード３１の吸塵口３３がフィーダ２１の搬送経路２１ｄに連通する構成を採用した排塵装置の場合にも、本発明を適用することができる。この場合、電動モータ４１は、排塵フード３１の横壁部に支持されることになる。したがって、前記上壁部３１ｂと前記横壁部とを総称して、吸塵口３３に対向して位置する壁部３１ｂと呼称する。
【００４５】
上記した実施例の筒カバー６０に替え、排塵ファン４０のボス部４３の外径Ｄ１の大きさと同一の大きさの外径を備えた筒カバーを採用して実施してもよい。この場合も、本発明の目的を達成することができる。
【図面の簡単な説明】
【００４６】
【図１】コンバインの全体の左側面図
【図２】コンバインの全体の右側面図
【図３】コンバインの全体の平面図
【図４】排塵装置の縦断側面図
【図５】排塵装置の正面図
【図６】排塵フードの上昇開き状態での正面図
【図７】排塵装置の縦断正面図
【図８】排塵装置の斜視図
【図９】図７のＩＸ−ＩＸ断面矢視図
【図１０】枢支手段の平面図
【図１１】図７のＸＩ−ＸＩ断面矢視図
【図１２】筒カバーと排塵ファンとの断面図
【符号の説明】
【００４７】
４          脱穀装置
２１        フィーダ
２１ｄ      搬送経路
３１        排塵フード
３１ｂ      排塵フードの壁部
３３        吸塵口
３８        モータ取り付け孔
３５        排塵経路
４０        排塵ファン
４１        電動モータ
４２        羽根
４３        排塵ファンのボス部
６０        筒カバー
６０ａ      筒カバーの本体
６０ｂ      シール筒部
６１        回転軸
６５        軸支部
Ｄ１        ボス部の外径
Ｄ２        筒カバーの外径
【図１】
0005503116.tif 000002
【図２】
0005503116.tif 000003
【図３】
0005503116.tif 000004
【図４】
0005503116.tif 000005
【図５】
0005503116.tif 000006
【図６】
0005503116.tif 000007
【図７】
0005503116.tif 000008
【図８】
0005503116.tif 000009
【図９】
0005503116.tif 000010
【図１０】
0005503116.tif 000011
【図１１】
0005503116.tif 000012
【図１２】
0005503116.tif 000013